(57)【要約】【課題】取り付け強度を向上させることができるとともに取り外し容易な取付装置を提供する。【解決手段】係止部３３１〜３３４に、第１取付部材２と第２取付部材３とを相対回転させた際に回動部材２２を倒伏させるような傾斜部３３１Ａ〜３３４Ａが形成されていることで、これらを相対回転させることによって、起立した回動部材２２による係止部３３１〜３３４の係止を解除し、第１取付部材２から第２取付部材３を容易に取り外すことができる。第２取付部材３の係止部３３１〜３３４が、第１取付部材２の回動部材２２によって係止されることで、面直方向に沿って第１取付部材２と第２取付部材３とを離すような外力が作用した場合に、取り付けが解除されてしまうことを抑制し、取り付け強度を向上させることができる。【選択図】図７
2018003914.tif 000002
【特許請求の範囲】
【請求項１】
第１取付部材に第２取付部材を取り付ける取付装置であって、
前記第１取付部材は、取付対象面に対して起立と倒伏との間で回動可能な回動部材と、該回動部材を少なくとも起立側に付勢する付勢部材と、を有し、
前記第２取付部材は、起立した前記回動部材に係止される係止部を有し、
前記係止部は、前記取付対象面の面直方向を中心に前記第１取付部材と前記第２取付部材とを相対回転させた際に、前記回動部材に当接することで当該回動部材を付勢に逆らって倒伏側に回動させる傾斜部を有することを特徴とする取付装置。
【請求項２】
前記第１取付部材は、前記取付対象面に一方の磁極を向けつつ該取付対象面との間に前記回動部材の一部を挟むように配置される前記付勢部材としての磁石を有し、
前記回動部材は、磁性体によって構成され、
前記第２取付部材は、前記磁石に引き寄せられる磁性体を有することを特徴とする請求項１に記載の取付装置。
【請求項３】
前記第２取付部材は、複数の前記係止部を有し、
前記回動部材に係止される前記係止部を選択することにより、前記第１取付部材に対する前記第２取付部材の取り付け角度が選択可能に構成されていることを特徴とする請求項１又は２に記載の取付装置。
【請求項４】
前記第１取付部材は、前記回動部材と前記付勢部材とによってそれぞれ構成される一対の取付ユニットを有し、
前記第２取付部材は、一対の前記回動部材のそれぞれに係止される一対の前記係止部を有し、
前記一対の取付ユニットは、起立した前記回動部材同士が対向するように配置されていることを特徴とする請求項１〜３のいずれか１項に記載の取付装置。
【請求項５】
前記第１取付部材と前記第２取付部材とのうち一方には、他方と対向する面に、大径部および小径部を有するとともに先細り形状を有した位置合わせ突起が形成されるとともに、前記他方には、前記一方と対向する面に、前記位置合わせ突起が嵌合する位置合わせ凹部が形成されていることを特徴とする請求項１〜４のいずれか１項に記載の取付装置。
【請求項６】
前記位置合わせ突起は、多角錐状に形成されていることを特徴とする請求項５に記載の取付装置。
【請求項７】
前記回動部材が環状に形成されていることを特徴とする請求項１〜６のいずれか１項に記載の取付装置。
【発明の詳細な説明】
【技術分野】
【０００１】
本発明は、取付装置に関する。
【背景技術】
【０００２】
従来、車両にスマートフォン等の携帯機器を設置するための携帯機器ホルダが提案されている（例えば、特許文献１参照）。特許文献１に記載された従来の携帯機器ホルダは、ダッシュボード（インストルメントパネル）に装着される取付部と、携帯機器を挟持する一対の挟持アームと、を備えている。
【先行技術文献】
【特許文献】
【０００３】
【特許文献１】特開２０１３−２５６２４０号公報
【発明の概要】
【発明が解決しようとする課題】
【０００４】
しかしながら、特許文献１に記載の携帯機器ホルダでは、挟持アームによって携帯機器を挟持するため、携帯機器の取り付けや取り外しに時間や手間がかかってしまう。特に、携帯機器のように取り付けた状態でも取り外した状態でも使われ、頻繁に取り付けおよび取り外しが行われる機器の場合、このような不都合が顕著なものとなる。
【０００５】
そこで、携帯機器側にアタッチメント（第１取付部材）を固定するとともに、車両側に携帯機器ホルダ（第２取付部材）を固定し、これらの一方に他方を取り付ける構成が考えられる。このような構成によれば、携帯機器を携帯機器ホルダに直接保持させる場合よりも、簡便な取付方法とすることができる。しかしながら、意図せずに取り付けが解除されてしまわないように取り付け強度を向上させると、取り外しが困難になってしまう。
【０００６】
したがって、本発明の課題は、取り付け強度を向上させることができるとともに取り外し容易な取付装置を提供することが一例として挙げられる。
【課題を解決するための手段】
【０００７】
前述した課題を解決し目的を達成するために、請求項１に記載の本発明の取付装置は、第１取付部材に第２取付部材を取り付ける取付装置であって、前記第１取付部材は、取付対象面に対して起立と倒伏との間で回動可能な回動部材と、該回動部材を少なくとも起立側に付勢する付勢部材と、を有し、前記第２取付部材は、起立した前記回動部材に係止される係止部を有し、前記係止部は、前記取付対象面の面直方向を中心に前記第１取付部材と前記第２取付部材とを相対回転させた際に、前記回動部材に当接することで当該回動部材を付勢に逆らって倒伏側に回動させる傾斜部を有することを特徴としている。
【図面の簡単な説明】
【０００８】
【図１】本発明の実施例に係る取付装置を示す斜視図である。
【図２】前記取付装置の取付部材を示す斜視図である。
【図３】前記取付装置の第２取付部材を示す斜視図である。
【図４】前記取付部材の動作を示す側面図である。
【図５】前記取付部材に前記第２取付部材を取り付ける様子を示す側面図である。
【図６】前記取付部材および前記第２取付部材に外力が作用した様子を示す側面図である。
【図７】前記取付部材から前記第２取付部材を取り外す様子を示す平面図である。
【図８】前記取付部材から前記第２取付部材を取り外す様子を示す断面図である。
【図９】本発明の変形例に係る取付装置を示す側面図である。
【図１０】前記取付装置の取付部材を示す平面図である。
【図１１】前記取付装置の第２取付部材を示す平面図である。
【発明を実施するための形態】
【０００９】
以下、本発明の実施形態を説明する。本発明の実施形態に係る取付装置は、第１取付部材に第２取付部材を取り付ける取付装置であって、第１取付部材は、取付対象面に対して起立と倒伏との間で回動可能な回動部材と、回動部材を少なくとも起立側に付勢する付勢部材と、を有する。第２取付部材は、起立した回動部材に係止される係止部を有し、係止部は、取付対象面の面直方向を中心に第１取付部材と第２取付部材とを相対回転させた際に、回動部材に当接することで回動部材を付勢に逆らって倒伏側に回動させる傾斜部を有する。
【００１０】
係止部に、第１取付部材と第２取付部材とを相対回転させた際に付勢に逆らって回動部材を倒伏側に回動させる傾斜部が形成されていることで、これらを相対回転させることによって、起立した回動部材による係止部の係止を解除し、第１取付部材から第２取付部材を容易に取り外すことができる。
【００１１】
また、第２取付部材の係止部が、第１取付部材における取付対象面から起立した回動部材によって係止されることで、面直方向に沿って第１取付部材と第２取付部材とを離すような外力が作用した場合に、取り付けが解除されてしまうことを抑制し、取り付け強度を向上させることができる。尚、係止部は回動部材によって常に係止されるものでなくてもよく、少なくとも第１取付部材から第２取付部材が外れようとした場合に係止されればよい。
【００１２】
第１取付部材は、取付対象面に一方の磁極を向けつつ取付対象面との間に回動部材の一部を挟むように配置される付勢部材としての磁石を有し、回動部材は、磁性体によって構成され、第２取付部材は、磁石に引き寄せられる磁性体を有することが好ましい。
【００１３】
磁石をこのように配置することにより、磁性体によって構成された回動部材は、円環状に形成されている場合、取付対象面から起立した起立位置と、取付対象面に沿うように倒れた倒伏位置と、を安定位置として付勢される。即ち、回動部材は、磁石によって、取付対象面に対する傾斜角度に応じて起立側または倒伏側に付勢される。回動部材が２つの安定位置を有することにより、取り付けの状態に応じて回動部材を適宜な位置に位置づけ、利便性を向上させることができる。
【００１４】
また、第１取付部材が磁石を有して第２取付部材が磁性体を有することで、磁力によってこれらの取り付けを維持し、取り付け強度を向上させることができる。このとき、磁石が、回動部材を付勢する機能と、取り付け強度を向上させる機能と、を有していることで、これらの機能をそれぞれ有する部材を設ける構成と比較して、部品点数を削減することができる。
【００１５】
第２取付部材は、複数の係止部を有し、回動部材に係止される係止部を選択することにより、第１取付部材に対する第２取付部材の取り付け角度が選択可能に構成されていることが好ましい。それにより、第１取付部材に対して第２取付部材を取り付け角度の異なる複数の取付パターンで取り付けることができる。尚、取り付け角度とは、取付対象面の面直方向を中心とした角度である。このとき、複数の係止部は、この面直方向を中心とした回転対称性を有していることがさらに好ましい。それにより、取り付け角度を等角度で調節することができる。
【００１６】
第１取付部材は、回動部材と付勢部材とによってそれぞれ構成される一対の取付ユニットを有し、第２取付部材は、一対の回動部材のそれぞれに係止される一対の係止部を有し、一対の取付ユニットは、起立した回動部材同士が対向するように配置されていることが好ましい。それにより、一対の回動部材によって一対の係止部を係止させることで、１つの回動部材によって１つの係止部を係止させる構成と比較して、取り付け強度をさらに向上させることができる。
【００１７】
第１取付部材と第２取付部材とのうち一方には、他方と対向する面に、大径部および小径部を有するとともに先細り形状を有した位置合わせ突起が形成されるとともに、他方には、一方と対向する面に、位置合わせ突起が嵌合する位置合わせ凹部が形成されていることが好ましい。それにより、第１取付部材に対して第２取付部材を所定の位置に位置づけることができる。また、位置合わせ突起が先細り形状を有していることで、取り付け時にガイドとすることができる。また、位置合わせ突起が大径部及び小径部を有することで、上記のように第１取付部材と第２取付部材とを相対回転させた際に、位置合わせ突起と位置合わせ凹部との嵌合が解除される。このとき、位置合わせ突起が先細り形状を有していることから、第１取付部材と第２取付部材とを面直方向に離すことができる。
【００１８】
位置合わせ突起は、多角錐状に形成されていることが好ましい。それにより、位置合わせ突起を上記のようにガイドとして機能させるとともに嵌合解除に用いることができる。
【００１９】
回動部材が環状に形成されていることが好ましい。それにより、第２取付部材の係止部を、起立させた回動部材の内側に挿通することができ、第１取付部材から第２取付部材を外れにくくすることができる。
【実施例】
【００２０】
以下、本発明の実施例について具体的に説明する。図１は、本発明の実施例に係る取付装置１を示す斜視図であり、図２は、取付装置１の第１取付部材２を示す斜視図であり、図３は、取付装置１の第２取付部材３を示す斜視図であり、図４は、第１取付部材２の動作を示す側面図であり、図５は、第１取付部材２に第２取付部材３を取り付ける様子を示す側面図であり、図６は、第１取付部材２および第２取付部材３に外力が作用した様子を示す側面図であり、図７は、第１取付部材２から第２取付部材３を取り外す様子を示す平面図であり、図８は、第１取付部材２から第２取付部材３を取り外す様子を示す断面図である。
【００２１】
本実施例の取付装置１は、図１〜３に示すように、第１部材としての電子機器（スマートフォン等）Ｅに、第２部材としての車両のインストルメントパネルＩを取り付けるためのものであって、電子機器Ｅの裏面を取付対象面Ｅ１として固定される第１取付部材２と、インストルメントパネルＩにおける搭乗者側の面を取付面Ｉ１として固定される第２取付部材３と、を備える。
【００２２】
第１取付部材２は、取付対象面Ｅ１に固定される固定部材２１と、２つの回動部材２２と、２つの磁石２３と、を有する。
【００２３】
固定部材２１は、例えば樹脂によって全体が直方体状に形成され、取付対象面Ｅ１に固定される面を底面２１１とし、その反対側の面を上面２１２とする。底面２１１は、長方形状に形成されるとともに、長辺方向の両端近傍に、短辺方向に沿って延びる互いに平行な凹部２１１Ａ、２１１Ｂが形成されている。凹部２１１Ａ、２１１Ｂは、取付対象面Ｅ１との間に、回動部材２２の後述する被挿通部２２３が挿通される挿通孔を形成し、挿通部として機能する。即ち、底面２１１の短辺方向を挿通部の延在方向とするとともに、長辺方向を対向方向として、固定部材２１は２つの保持部２１Ａ、２１Ｂを有している。
【００２４】
凹部２１１Ａ、２１１Ｂは、回動部材２２を後述する倒伏位置に位置づけることができるように、回動部材２２の形状に合わせて長辺方向の中央側において凹に形成されている。尚、図１において凹部２１１Ａ、２１１Ｂは長辺方向の外側においても凹に形成されているが、この部分は平坦に形成されていてもよい。
【００２５】
凹部２１１Ａ、２１１Ｂの底面２１０は、取付対象面Ｅ１に対向し、保持部２１Ａ、２１Ｂの対向内面として機能する。
【００２６】
固定部材２１の上面２１２は、第２取付部材３の後述する前面３３Ａに対応し、凹状の曲面となっている。また、上面２１２における長辺方向の中央部には、位置合わせ凹部２１２Ａが形成されている。位置合わせ凹部２１２Ａは、第２取付部材３の後述する四角錐状の位置合わせ突起３３５が嵌まり合うような形状を有している。
【００２７】
回動部材２２は、例えば強磁性体金属の線材を螺旋状に巻き回すことで円環状に形成されており、その巻数は、本実施例では２回であるものとする。即ち、回動部材２２において線材が軸方向に二重に並んでいるものとする。従って、回動部材２２は、図１、２に示すように取付対象面Ｅ１に対して起立した起立位置に位置づけられた際に、底面２１１の長辺方向に並んだ２つの当接部（環の内周側の一部）２２１、２２２によって対向内面としての底面２１０に当接可能となっている。尚、回動部材２２は、磁石２３と充分に相互作用可能な磁化率を有する材質で構成されていればよい。
【００２８】
回動部材２２のうち一部が、挿通部としての凹部２１１Ａ、２１１Ｂによって形成された挿通孔に挿通され、この部分が被挿通部２２３となり、被挿通部２２３から最も離れた部分が起立端部２２４となる。これにより、回動部材２２は、被挿通部２２３を中心として起立端部２２４が回動するように、保持部２１Ａ、２１Ｂによって回動可能に保持される。
【００２９】
尚、回動部材２２のうち予め定められた部分が被挿通部２２３とならなくてもよく、凹部２１１Ａ、２１１Ｂに位置づけられた部分を被挿通部２２３とすればよい。また、回動部材は、円環状のものに限定されず、多角形状の平面視形状を有していてもよい。また、回動部材は、その一部（起立端部）と磁石２３と被挿通部とが順に並ぶように起立可能な形状を有していればよく、完全な閉ループを形成していなくてもよい。回動部材は、例えば環の一部が欠落した形状であってもよいし、Ｃ字状やＵ字状等の形状であってもよい。
【００３０】
磁石２３は、一面をＮ極とするとともに他面をＳ極とする円柱状に形成され、これらの面が取付対象面Ｅ１と略平行となるように、凹部２１１Ａ、２１１Ｂを挟んで取付対象面Ｅ１と反対側に固定部材２１に内蔵される。即ち、磁石２３は、取付対象面Ｅ１に一方の磁極（Ｎ極又はＳ極）を向けつつ、凹部２１１Ａ、２１１Ｂに挿通された回動部材２２の被挿通部２２３を取付対象面Ｅ１との間に挟むように配置される。
【００３１】
以上のような２つの保持部２１Ａ、２１Ｂと、２つの回動部材２２と、２つの磁石２３と、によって一対の取付ユニット２０Ａ、２０Ｂが構成される。一対の取付ユニット２０Ａ、２０Ｂは、凹部２１１Ａ、２１１Ｂ同士が平行に延びるように、固定部材２１における底面２１１の長辺方向を対向方向として配置されている。
【００３２】
一対の取付ユニット２０Ａ、２０Ｂにおける磁石２３は、磁極の向きが互いに反対となるように配置されている。即ち、２つの磁石２３のうち一方が取付対象面Ｅ１に対してＮ極を向け、他方がＳ極を向けるように配置されている。また、一対の取付ユニット２０Ａ、２０Ｂは、起立した回動部材２２同士が対向するように配置されている。
【００３３】
以上のような第１取付部材２の動作について図４を参照して説明する。まず、磁石２３が取付対象面Ｅ１に一方の磁極を向けつつ取付対象面Ｅ１との間に被挿通部２２３を挟むように配置されることで、磁石２３の磁力によって、回動部材２２は図４（Ａ）に示すように取付対象面Ｅ１に対して直交するように起立しようとする。即ち、回動部材２２は、取付対象面Ｅ１に対して直交するように起立した起立位置を安定位置として、磁石２３によって起立側に付勢される。
【００３４】
また、２つの回動部材２２が互いに離れるように倒れようとした際、所定の角度以上倒れると、磁石２３の磁力によって、回動部材２２は図４（Ｂ）に示すように取付対象面Ｅ１に沿うように倒れようとする。即ち、回動部材２２は、取付対象面Ｅ１に沿うように倒れた倒伏位置を安定位置として、磁石２３によって倒伏側に付勢される。
【００３５】
従って、図４（Ｃ）に示すように回動部材２２が取付対象面Ｅ１に対して傾斜している状態においては、回動部材２２は磁石２３の磁力によって、傾斜角度に応じて起立位置または倒伏位置になろうとする。
【００３６】
第２取付部材３は、図３に示すように、インストルメントパネルＩの取付面Ｉ１に固定される土台部３１と、取付面Ｉ１から離れるように土台部３１から延びる軸部３２と、軸部３２の先端に設けられる板部３３と、板部３３に内蔵される磁性体３４と、を備える。土台部３１と軸部３２と板部３３とは、例えば樹脂によって一体に形成されているものとする。
【００３７】
板部３３は、各辺が内側に凹んだ正方形状に形成され、その頂点を含む４つの凸状部が形成されており、この凸状部が係止部３３１〜３３４となる。板部３３の前面（取付面Ｉ１と同一の側を向いた面）３３Ａは、取付面Ｉ１から離れる方向に凸の曲面となっており、背面（取付面Ｉ１と対向する面）３３Ｂは、図５に示すように取付面Ｉ１から見て凹状の曲面となっている。複数の係止部３３１〜３３４は、前面３３Ａの面直方向を中心として４回対称の回転対称性を有している。
【００３８】
前面３３Ａの中心部には、四角錐状の位置合わせ突起３３５が形成されている。この四角錐の底面における角はそれぞれ板部３３の頂点（係止部３３１〜３３４）に向けられている。位置合わせ突起３３５は、４つの側面が互いに不連続に接続されるとともに、全体が先細り形状を有している。尚、位置合わせ突起３３５は、完全な錐体でなくてもよく、その側面は曲面状に形成されていてもよい。
【００３９】
磁性体３４は、例えば鉄等の強磁性体によって十字の板状に形成され、板部３３の内側に埋め込まれている。即ち、磁性体３４は、対向する係止部３３１、３３３に亘って設けられる長方形状の板と、対向する係止部３３２、３３４に亘って設けられる長方形状の板と、を組み合わせた形状を有している。
【００４０】
ここで、第１取付部材２に第２取付部材３を取り付ける方法および手順について、図５に基づいて説明する。まず、第１取付部材２において、図５（Ａ）に示すように２つの回動部材２２を起立位置に位置づける。このような状態において、第２取付部材３の前面３３Ａを第１取付部材２の上面２１２に対向させるとともに、係止部３３１、３３３のそれぞれを回動部材２２及び磁石２３に対して位置合わせしつつ、取付対象面Ｅ１の面直方向に沿って第１取付部材２と第２取付部材３とを相対接近させる。
【００４１】
回動部材２２の起立端部２２４が第２取付部材３の前面３３Ａに当接すると、前面３３Ａが上記のような凸状の曲面となっていることから、２つの回動部材２２は、図５（Ｂ）に示すように起立端部２２４が互いに離れる方向に回動する。さらに相対接近を続け、係止部３３１、３３３を起立端部２２４よりも取付対象面Ｅ１側に位置づけると、回動部材２２が磁石２３の付勢力によって起立位置に戻る。これにより、係止部３３１、３３３が回動部材２２の内側に挿通される。
【００４２】
さらに相対接近を続けると、第２取付部材３の前面３３Ａが第１取付部材２の上面２１２に当接するとともに、位置合わせ突起３３５が位置合わせ凹部２１２Ａに嵌まり込む。このとき、位置合わせ突起３３５が四角錐状に形成されていることで、位置合わせ突起３３５と位置合わせ凹部２１２Ａとが多少位置ずれしていたり、第１取付部材２と第２取付部材３とが正規の状態から多少回転していたりしても、位置合わせ突起３３５が位置合わせ凹部２１２Ａの周囲や内壁に当接することによって正規の位置に案内されるようになっている。
【００４３】
以上のように第１取付部材２と第２取付部材３とを相対接近させる際、第１取付部材２の磁石２３に第２取付部材３の磁性体３４が引き寄せられることにより、接近させる方向に力がはたらく。また、図５（Ｃ）に示す状態においては、一方の磁石２３の上面から延びる磁力線は、磁性体３４の内側を通って他方の磁石２３の上面に向かう。このような状態において、磁力によって第１取付部材２への第２取付部材３の取り付けが維持される。
【００４４】
次に、図５（Ｃ）に示すように第１取付部材２に第２取付部材３が取り付けられた状態において、例えば車両が急発進または急停車することにより、第１取付部材２と第２取付部材３とが離れるような力が作用した場合について説明する。第１取付部材２から第２取付部材３が離れることで、図６に示すように第２取付部材３の背面３３Ｂが回動部材２２の起立端部２２４の内側に当接する。このとき、背面３３Ｂが上記のような凹状の曲面となっていることから、係止部３３１、３３３が回動部材２２によって係止される。また、離れるような力が作用しなくなったら、磁力によって再び図５（Ｃ）に示す状態に戻る。
【００４５】
尚、上記の取付方法では対向する係止部３３１、３３３のそれぞれを回動部材２２及び磁石２３に対して位置合わせするものとしたが、係止部３３１、３３３のそれぞれが対向する取付ユニット２０Ａ、２０Ｂを入れ替えてもよいし、係止部３３２、３３４のそれぞれを回動部材２２及び磁石２３に対して位置合わせしてもよい。即ち、第１取付部材２への第２取付部材３の取り付け角度は、９０°ずつ変更することができ、４通りの取り付けが可能となっている。
【００４６】
ここで、第１取付部材２から第２取付部材３を取り外す方法について図７に基づいて説明する。図７（Ａ）に示すように第１取付部材２に第２取付部材３が取り付けられて係止部３３１、３３３が回動部材２２に挿通されている状態から、位置合わせ突起３３５の頂点を中心Ｏとして第１取付部材２と第２取付部材３とを相対回転させると、図７（Ｂ）に示すように、係止部３３１、３３３が回動部材２２の内側に当接する。このとき、係止部３３１、３３３のうち回動部材２２に当接する部分は、中心Ｏを通る径方向に対し、回転方向側に鋭角θが形成される傾斜部３３１Ａ、３３３Ａとなっている。従って、板部３３が回転することにより、係止部３３１、３３３によって回動部材２２に対し、中心Ｏを有する円の径方向外側への力が作用する。
【００４７】
尚、係止部３３２、３３４にも同様の傾斜部３３２Ａ、３３４Ａが形成されている。また、図７では、第１取付部材２に対して第２取付部材３を一方向に回転させた様子を示しているが、係止部３３１〜３３４には、他方向に回転させた場合においても同様に回動部材２２を倒伏側に回動させる傾斜部が形成されている。
【００４８】
相対回転をさらに続けると、回動部材２２の起立端部２２４同士が互いに離れようとし、図７（Ｃ）に示すように、回動部材２２が被挿通部２２３を中心に回動する。即ち、傾斜部３３１Ａ、３３３Ａが当接することにより、回動部材２２は磁石２３の付勢力に逆らって倒伏側に回動する。これにより、係止部３３１、３３３が回動部材２２の内側から抜け出し、第１取付部材２と第２取付部材３とを取付対象面Ｅ１、Ｉ１の面直方向に沿って離すことができ、第１取付部材２から第２取付部材３を取り外すことができるようになる。
【００４９】
また、第１取付部材２と第２取付部材３とを相対回転させた際、位置合わせ突起３３５と位置合わせ凹部２１２Ａとによって次のような作用が得られる。まず、位置合わせ突起３３５は四角錐状に形成されていることから、２本の稜線（側面同士の境界）を通る断面の方が、頂点および側面を通る断面よりも幅が広い。また、位置合わせ凹部２１２Ａも、幅が広い部分と幅が狭い部分とを有する。
【００５０】
図５（Ｃ）、図７（Ａ）に示すように第１取付部材２に第２取付部材３が取り付けられた状態においては、図８（Ａ）に示すように位置合わせ突起３３５が位置合わせ凹部２１２Ａに嵌まり込み、位置合わせ凹部２１２Ａのうち幅が広い部分には位置合わせ突起３３５の幅が広い部分（大径部）が位置し、位置合わせ凹部２１２Ａのうち幅が狭い部分には位置合わせ突起３３５の幅が狭い部分（小径部）が位置する。
【００５１】
このような状態から第１取付部材２と第２取付部材３とを相対回転させると、位置合わせ突起３３５の幅が広い部分が、位置合わせ凹部２１２Ａのうち幅が狭い部分に位置しようとし、位置合わせ突起３３５の稜線が位置合わせ凹部２１２Ａの内壁に当接し、固定部材２１と板部３３とを離すような力がはたらき、位置合わせ突起３３５と位置合わせ凹部２１２Ａとの嵌合が解除される。これにより、相対回転によって上記のように回動部材２２を回動させるだけでなく、第１取付部材２と第２取付部材３とを離れさせて磁石２３と磁性体３４との間にはたらく吸引力を弱めることができ、第１取付部材２から第２取付部材３を取り外しやすくなっている。
【００５２】
上記の構成により、係止部３３１〜３３４に、第１取付部材２と第２取付部材３とを相対回転させた際に回動部材２２を倒伏させるような傾斜部３３１Ａ〜３３４Ａが形成されていることで、これらを相対回転させることによって、起立した回動部材２２による係止部３３１〜３３４の係止を解除し、第１取付部材２から第２取付部材３を容易に取り外すことができる。
【００５３】
また、第２取付部材３の係止部３３１〜３３４が、第１取付部材２の回動部材２２によって係止されることで、面直方向に沿って第１取付部材２と第２取付部材３とを離すような外力が作用した場合に、取り付けが解除されてしまうことを抑制し、取り付け強度を向上させることができる。
【００５４】
磁石２３が取付対象面Ｅ１に一方の磁極を向けつつ取付対象面Ｅ１との間に被挿通部２２３を挟んで配置されていることで、回動部材は起立位置と倒伏位置との２つの安定位置をとることができる。従って、使用の目的や状態に応じて回動部材２２をいずれかの安定位置に位置づけることができ、利便性を向上させることができる。
【００５５】
例えば、第１取付部材２が固定された電子機器ＥをインストルメントパネルＩから取り外して使用する場合には、回動部材２２を倒伏位置に位置づけることにより、第１取付部材２の取付対象面Ｅ１からの突出を小さくすることができる。また、回動部材２２を起立位置に位置づけるとともに電子機器ＥをインストルメントパネルＩに接近させることによって、電子機器ＥをインストルメントパネルＩに取り付けることができる。
【００５６】
また、第１取付部材２が磁石２３を有して第２取付部材３が磁性体３４を有することで、磁力によってこれらの取り付けを維持し、取り付け強度を向上させることができる。このとき、磁石２３が、回動部材２２を付勢する機能と、取り付け強度を向上させる機能と、を有していることで、これらの機能をそれぞれ有する部材を設ける構成と比較して、部品点数を削減することができる。
【００５７】
第２取付部材３が、一対の回動部材２２に係止される４つの係止部３３１〜３３４を有し、これらが４回対称の回転対称性を有していることで、第１取付部材２に対して第２取付部材３を取り付け角度の異なる４つの取付パターンで取り付けることができる。このとき、取り付け角度を等角度で調節することができる。
【００５８】
一対の回動部材２２によって一対の係止部３３１、３３３（又は３３２、３３４）が係止されることで、１つの回動部材によって１つの係止部が係止される構成と比較して、取り付け強度をさらに向上させることができる。
【００５９】
第１取付部材２が位置合わせ突起３３５を有するとともに第２取付部材３が位置合わせ凹部２１２Ａを有することで、第１取付部材２に対して第２取付部材３を所定の位置に位置づけることができる。また、位置合わせ突起３３５が四角錐状に形成されていることで、取り付け時にガイドとすることができる。また、第１取付部材２と第２取付部材３とを相対回転させた際に、位置合わせ突起３３５と位置合わせ凹部２１２Ａとの嵌合が解除され、第１取付部材２と第２取付部材３とを面直方向に離すことができる。
【００６０】
回動部材２２が環状に形成されていることで、第２取付部材３の係止部３３１〜３３４を、起立させた回動部材２２の内側に挿通することができ、第１取付部材２から第２取付部材３を外れにくくすることができる。
【００６１】
また、一対の取付ユニット２０Ａ、２０Ｂにおける磁石２３が、磁極の向きが互いに反対となるように配置されていることで、一方の磁石２３の上面から延びる磁力線が、磁性体３４の内側を通って他方の磁石２３の上面に向かうように延び、第１取付部材２に第２取付部材３を強固に取り付けることができる。
【００６２】
なお、本発明は、前記実施例に限定されるものではなく、本発明の目的が達成できる他の構成等を含み、以下に示すような変形等も本発明に含まれる。
【００６３】
例えば、前記実施例では、第１取付部材２が一対の回動部材２２を有するとともに第２取付部材３の一対の係止部３３１、３３３（又は３３２、３３４）がそれぞれ係止されるものとしたが、１つの回動部材によって１つの係止部が係止される構成としてもよく、このような取付装置として、変形例に係る取付装置１０を図９〜１１に示す。
【００６４】
取付装置１０は、第１部材としての車両のインストルメントパネルに、第２部材としての電子機器（スマートフォン等）を取り付けるためのものであって、インストルメントパネルにおける搭乗者側の面を取付対象面として固定される第１取付部材４と、電子機器の裏面を取付面として固定される第２取付部材５と、を備える。
【００６５】
第１取付部材４は、アタッチメント４０と、アタッチメント４０を介して取付対象面に固定される固定部材４１と、１つの回動部材４２と、３つの磁石４３〜４５と、を有する。
【００６６】
固定部材４１は、長方形状の板本体４１１と、板本体４１１の長辺から突出した突出部４１２と、を一体に有して全体が板状に形成されている。固定部材４１のうち取付対象面側の面を底面としてその反対側の面を上面４１Ａとした場合、板本体４１１における上面４１Ａには、円状の位置合わせ突起４１３が形成されている。
【００６７】
突出部４１２には、板本体４１１の長辺方向に貫通する挿通部としての挿通孔４１２Ａが形成され、固定部材４１が回動部材４２を保持する保持部として機能するようになっている。
【００６８】
回動部材４２は、強磁性体金属によってＣ字状に形成され、その両端が、挿通孔４１２Ａに挿通される被挿通部４２１となる。
【００６９】
磁石４３〜４５は、円盤状に形成されている。磁石４３は、取付対象面に一方の磁極を向けつつ取付対象面との間に被挿通部４２１を挟むとともに、主に突出部４１２内に位置するように配置される。磁石４４、４５は、長辺方向に並ぶように板本体４１１内に位置するように配置される。
【００７０】
第２取付部材５は、正方形の２辺がＬ字状に切り取られた板状に形成されている。第２取付部材５には、この２辺に向かって突出した係止部５２、５３が形成されている。係止部５２、５３は、それぞれ２つの傾斜部５２１、５２２、５３１、５３２を有して三角形状に突出した形状を有している。
【００７１】
また、第２取付部材５のうち取付面に対向する面を底面としてその反対側の面を上面５Ａとした場合、上面５Ａの中心部には、第１取付部材４の位置合わせ突起４１３と嵌合する位置合わせ凹部５４が形成されている。また、第２取付部材５は、係止部５２、５３の間の角と対向する角部を含む全体の略１／４の領域に埋め込まれた板状の磁性体５５を有する。
【００７２】
以上のような取付装置１０においては、前記実施例の取付装置１と同様に、第１取付部材４の回動部材４２は、取付対象面から起立した起立位置を安定位置とする。このとき、第１取付部材４の突出部４１２には、回動部材４２に当接する規制部４１２Ｂが設けられており、回動部材４２が直立しないようになっている。これにより、回動部材４２が起立位置から一方向にのみ回動することが許容され、後述するように第１取付部材４に第２取付部材５を取り付ける際に、回動部材４２が係止部５２、５３の基端側に倒伏しないようになっている。
【００７３】
第１取付部材４に第２取付部材５を取り付ける際には、係止部５２又は係止部５３に回動部材４２を位置合わせしつつ、これらを相対接近させればよい。これにより、前記実施例と同様に回動部材４２に係止部５２、５３が挿通される。また、係止部５２が挿通される場合には磁石４５と磁性体５５とが引き寄せられ、係止部５３が挿通される場合には磁石４４と磁性体５５とが引き寄せられる。
【００７４】
第１取付部材４から第２取付部材５を取り外す際には、取付対象面の面直方向を中心に（位置合わせ突起４１３及び位置合わせ凹部５４を中心に）これらを相対回転させればよい。このとき、係止部５２、５３の傾斜部５２１、５２２、５３１、５３２が回動部材４２に当接することにより、回動部材４２が磁石４３の付勢力に逆らって倒伏側に回動する。このとき、相対回転の方向はいずれの方向（図１１における時計回りまたは反時計回り）であってもよい。
【００７５】
また、前記実施例では、回動部材２２が、取付対象面Ｅ１に対して直交するように起立した起立位置を安定位置とするものとしたが、例えば、磁石の磁極の向きを取付面に対して傾斜させたり、前記変形例のように規制部を設けたりすることにより、取付面に対して多少の傾斜を有して起立した起立位置を安定位置としてもよい。
【００７６】
また、前記実施例では、磁石２３が回動部材２２を起立側または倒伏側に付勢する付勢部材として機能するものとしたが、付勢部材は回動部材を起立側にのみ付勢するものであってもよく、例えばばね部材であってもよい。このとき、第１取付部材と第２取付部材との取り付けを維持するための磁石が別個設けられてもよい。
【００７７】
また、前記実施例では、一対の回動部材２２に係止される係止部３３１〜３３４が４回対象の回転対称性を有するものとしたが、ｎ≧６（ｎは整数）のｎ回対称の回転対称性を有していてもよいし、２回対称の回転対称性を有していてもよい。また、複数の係止部が回転対称性を有していない構成であってもよい。
【００７８】
また、前記実施例では、第１取付部材２に位置合わせ凹部２１２Ａが形成されるとともに第２取付部材３に位置合わせ突起３３５が形成されるものとしたが、第１取付部材に位置合わせ突起が形成されるとともに第２取付部材に位置合わせ凹部が形成される構成としてもよい。また、位置合わせ突起は、四角錐状に限定されず、他の多角錐状であってもよく、上記のように係止部がｎ回対称である場合には、ｎ角錐状であることが好ましい。
【００７９】
また、位置合わせ突起は、多角錐状でなくてもよく、大径部および小径部を有するとともに先細っていれば、前記実施例と同様に、相対回転によって第１取付部材と第２取付部材とを離すことができる。また、第１取付部材と第２取付部材との間に生じる磁力が弱い場合や、磁石や磁性体が設けられずこれらの間に磁力が生じない場合には、位置合わせ突起は、大径部および小径部を有していない形状や先細っていない形状（例えば円錐状や円柱状）であってもよい。さらに、第１取付部材と第２取付部材とが、互いの位置合わせの必要がないような形状または構成を有する場合には、位置合わせ突起および位置合わせ凹部は形成されなくてもよい。
【００８０】
また、前記実施例では、第１取付部材２が第２部材（取り付けられる部材）としての電子機器Ｅに固定され、第２取付部材３が第１部材（取り付ける対象）としてのインストルメントパネルＩに固定されるものとしたが、第１取付部材２が第１部材に固定されるとともに第２取付部材３が第２部材に固定されてもよい。
【００８１】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００８２】
１、１０                         取付装置
２、４                           第１取付部材
２０Ａ、２０Ｂ                   取付ユニット
２２、４２                       回動部材
２３、４３                       磁石（付勢部材）
２１２Ａ                         位置合わせ凹部
３、５                           第２取付部材
３４、５５                       磁性体
３３１〜３３４、５２、５３       係止部
３３１Ａ〜３３４Ａ               傾斜部
３３５                           位置合わせ突起
Ｅ１                             取付対象面
【図１】
2018003914.tif 000003
【図２】
2018003914.tif 000004
【図３】
2018003914.tif 000005
【図４】
2018003914.tif 000006
【図５】
2018003914.tif 000007
【図６】
2018003914.tif 000008
【図７】
2018003914.tif 000009
【図８】
2018003914.tif 000010
【図９】
2018003914.tif 000011
【図１０】
2018003914.tif 000012
【図１１】
2018003914.tif 000013